(57)【要約】【課題】無線通信機能とカメラの機能とを同時に使用することが可能で、しかもカメラの電気回路から発生する高周波の輻射ノイズが無線通信機能に及ぼす影響を抑制可能な携帯端末装置を提供する。【解決手段】無線通信機能とカメラとを備えた携帯端末装置に、前記カメラから出力されるパラレル形式の画像データを同一符号の連続出力を抑制するように符号化する符号化手段１０９と、符号化手段１０９から出力される符号化されたパラレル形式の画像データをシリアルデータに変換するパラレル／シリアル変換手段１１０と、パラレル／シリアル変換手段１１０から出力されるシリアルデータを受信し、前記画像データを復元する復号処理手段１１１と、受信したシリアルデータをパラレル形式のデータに変換するシリアル／パラレル変換手段１１２とを設けた。【選択図】図１
2008017030.tif 000002
【特許請求の範囲】
【請求項１】
電波を利用して通信する無線通信機能と、任意の被写体を撮影可能なカメラとを備えた携帯端末装置であって、
前記カメラからＮビット毎に並列に出力されるパラレル形式の画像データを、同一符号の連続出力を抑制するように符号化する符号化手段と、
前記符号化手段から出力される符号化されたパラレル形式の画像データをシリアルデータに変換するパラレル／シリアル変換手段と、
前記パラレル／シリアル変換手段から出力されるシリアルデータを受信し、復号処理して前記画像データを復元する復号処理手段と、
前記パラレル／シリアル変換手段から出力されるシリアルデータを受信してパラレル形式のデータに変換するシリアル／パラレル変換手段と、
を設けたことを特徴とする携帯端末装置。
【請求項２】
請求項１に記載の携帯端末装置において、前記符号化手段は、Ｎビット毎に入力されるパラレル形式の画像データの途中もしくは前後に、少なくとも１ビットの冗長ビットを付加してＮビットよりもビット数の多いＭビットの符号化されたパラレルデータを生成することを特徴とする携帯端末装置。
【請求項３】
請求項２に記載の携帯端末装置において、前記符号化手段は、付加する冗長ビットの値として、入力されたＮビットデータの中の少なくとも１ビットの値を反転した結果を出力することを特徴とする携帯端末装置。
【請求項４】
請求項１に記載の携帯端末装置において、前記パラレル／シリアル変換手段が出力するシリアルデータのビットレートを決定する周波数が可変のクロック信号を生成する可変クロック生成手段を更に設けたことを特徴とする携帯端末装置。
【請求項５】
請求項４に記載の携帯端末装置において、前記可変クロック生成手段は、前記符号化手段の符号化率に応じて出力するクロック信号の周波数を決定することを特徴とする携帯端末装置。
【請求項６】
請求項１に記載の携帯端末装置において、前記シリアル／パラレル変換手段から出力されるパラレル形式のデータに同期したクロック信号を、入力されるシリアルデータから生成するクロック再生手段を更に設けたことを特徴とする携帯端末装置。
【発明の詳細な説明】
【技術分野】
【０００１】
本発明は、電波を利用して通信する無線通信機能と、任意の被写体を撮影可能なカメラとを備えた携帯端末装置に関し、特にカメラ動作時の輻射ノイズの低減に関する。
【背景技術】
【０００２】
近年、携帯電話端末のような携帯端末装置においては、任意の被写体を撮影可能なカメラを搭載したものが増えている。この種のカメラは、一般的にＣＣＤイメージセンサのような個体撮像デバイスを利用しており、数十ＭＨｚ程度の周波数のクロック信号に同期して動作するようになっている。
【０００３】
このため、携帯端末装置に搭載されたカメラを利用する際には、前記クロック信号の高調波成分、すなわちクロック信号の基本周波数の整数倍の周波数成分が、例えば回路基板上の導電体パターンや配線などから輻射する。ところが、携帯電話端末のような携帯端末装置においては、カメラだけでなく、電波を利用して通信する無線通信機能も搭載しており、しかもカメラの回路と無線通信機能を実現する回路とが互いに接近した位置関係で配置されている。従って、カメラの動作によって発生する高周波の輻射ノイズが、無線通信機能に悪影響を及ぼす。具体的には、輻射ノイズによって無線通信機能の受信感度が劣化する。
【０００４】
そこで、例えば特許文献１に開示された従来技術においては、携帯電話端末が、基地局からの制御信号を間欠受信する待ち受け受信中に、制御信号の受信期間においてクロック信号の供給を停止することを提案している。つまり、通信中はカメラの動作を一時的に停止する。
【０００５】
また、特許文献２に開示された従来技術においては、カメラの動作を一時的に停止した場合に、停止する前に撮影された画像を表示し、表示内容に違和感が生じないように制御することを提案している。
【特許文献１】特開２００２−２６１８８０号公報
【特許文献２】特開２００５−４５５６３号公報
【発明の開示】
【発明が解決しようとする課題】
【０００６】
しかしながら、例えばテレビ電話の機能を実現しようとする場合には、通信中であってもカメラの動作を停止することができないので、特許文献１に開示されているような従来技術を採用することはできず、カメラからの輻射ノイズによって受信感度が低下するのは避けられない。
【０００７】
特に、カメラの信号を処理する回路にはＹＵＶデータバスを採用している場合が多く、このＹＵＶデータバス上には複数ビットで構成される同符号が連続的にもしくは周期的に現れる可能性が高いので、ランダム信号と同様に、様々な周波数成分を含む高調波が発生する。例えば、クロック信号の基本周波数をＮとする場合、同じ値が２ビット連続する符号ではＮ／２倍の周波数、同じ値が３ビット連続する符号ではＮ／３倍の周波数になるので、基本周波数の高調波だけでなく、基本周波数のＮ／２倍の周波数の高調波や、基本周波数のＮ／３倍の周波数の高調波もＹＵＶデータバスから発生することになり、無線通信に使用する周波数帯を含む様々な周波数帯に対して輻射ノイズが悪影響を及ばすことになる。このため、仮にクロック信号の周波数を工夫したとしても、カメラを使用する場合には、輻射ノイズの影響で無線回路の受信感度が低下するのは避けられなかった。
【０００８】
なお、ＹＵＶデータバスは、輝度信号(Y)と、輝度信号と青色成分との差(U)と、輝度信号と赤色成分との差(V)との３つの情報で色を表すＹＵＶデータを扱うバス（信号線の集まり）である。
【０００９】
本発明は、無線通信機能とカメラの機能とを同時に使用することが可能で、しかもカメラの電気回路から発生する高周波の輻射ノイズが無線通信機能に及ぼす影響を抑制することが可能な携帯端末装置を提供することを目的とする。
【課題を解決するための手段】
【００１０】
１番目の発明（請求項１）は、電波を利用して通信する無線通信機能と、任意の被写体を撮影可能なカメラとを備えた携帯端末装置であって、前記カメラからＮビット毎に並列に出力されるパラレル形式の画像データを、同一符号の連続出力を抑制するように符号化する符号化手段と、前記符号化手段から出力される符号化されたパラレル形式の画像データをシリアルデータに変換するパラレル／シリアル変換手段と、前記パラレル／シリアル変換手段から出力されるシリアルデータを受信し、復号処理して前記画像データを復元する復号処理手段と、前記パラレル／シリアル変換手段から出力されるシリアルデータを受信してパラレル形式のデータに変換するシリアル／パラレル変換手段とを設けたことを特徴とする。
【００１１】
１番目の発明では、パラレル形式の画像データをシリアルデータに変換する前に、符号化手段を用いて同一符号の連続出力を抑制している。同一符号が連続的に現れるのを防止することにより、クロック信号の基本周波数に比べて周波数の低い信号成分がカメラの信号データを転送する信号線上に現れるのを抑制できる。これにより、輻射ノイズの周波数スペクトラムにおける各周波数成分の周波数間隔が広がることになり、輻射ノイズの影響を受けない周波数帯が形成される。従って、輻射ノイズの影響を受けない周波数帯が無線通信で利用する周波数帯と一致するように、あるいは輻射ノイズに含まれる各周波数成分の周波数と無線通信で利用する周波数帯とが重ならないように、事前に調整しておくことにより、輻射ノイズの影響を大幅に軽減できる。
【００１２】
２番目の発明（請求項２）は、１番目の発明において、前記符号化手段は、Ｎビット毎に入力されるパラレル形式の画像データの途中もしくは前後に、少なくとも１ビットの冗長ビットを付加してＮビットよりもビット数の多いＭビットの符号化されたパラレルデータを生成することを特徴とする。
【００１３】
２番目の発明では、冗長ビットを付加することにより、符号化されたパラレルデータを生成することができる。また、付加する冗長ビットの値を工夫することで、複数ビットの同一符号が連続的に現れるのを抑制できる。
【００１４】
３番目の発明（請求項３）は、２番目の発明において、前記符号化手段は、付加する冗長ビットの値として、入力されたＮビットデータの中の少なくとも１ビットの値を反転した結果を出力することを特徴とする。
【００１５】
３番目の発明では、入力されたＮビットデータの中の少なくとも１ビットの値を反転した結果を付加する冗長ビットの値として利用するので、例えば隣接するビット同士の値が異なるように制御することができ、複数ビットの同一符号が連続的に現れるのを抑制できる。
【００１６】
４番目の発明（請求項４）は、１番目の発明において、前記パラレル／シリアル変換手段が出力するシリアルデータのビットレートを決定する周波数が可変のクロック信号を生成する可変クロック生成手段を更に設けたことを特徴とする。
【００１７】
４番目の発明では、可変クロック生成手段を調整することにより、前記パラレル／シリアル変換手段が出力するシリアルデータのビットレートを変えることができるので、前記輻射ノイズに含まれる各周波数成分の周波数を適宜変更することができ、輻射ノイズの影響を受けない周波数帯が無線通信で利用する周波数帯と一致するように、あるいは輻射ノイズに含まれる各周波数成分の周波数と無線通信で利用する周波数帯とが重ならないように調整できる。
【００１８】
５番目の発明（請求項５）は、４番目の発明において、前記可変クロック生成手段は、前記符号化手段の符号化率に応じて出力するクロック信号の周波数を決定することを特徴とする。
【００１９】
前記符号化手段の符号化率（符号化前ビット数／符号化後ビット数）に応じて、符号化後に連続的に現れる符号のビット数が変わり、輻射ノイズに含まれる周波数成分が変わる。５番目の発明では、符号化率に応じて出力するクロック信号の周波数を決定するので、符号化率を変更した場合であっても、輻射ノイズの影響を受けない周波数帯が無線通信で利用する周波数帯と一致するように、あるいは輻射ノイズに含まれる各周波数成分の周波数と無線通信で利用する周波数帯とが重ならないように調整できる。
【００２０】
６番目の発明（請求項６）は、１番目の発明において、前記シリアル／パラレル変換手段から出力されるパラレル形式のデータに同期したクロック信号を、入力されるシリアルデータから生成するクロック再生手段を更に設けたことを特徴とする。
【００２１】
６番目の発明では、前記シリアルデータを受信する受信側に設けたクロック再生手段が、入力されるシリアルデータからクロック信号を生成するので、前記シリアルデータの送信側と受信側との間で、前記シリアルデータと共にクロック信号を伝送する必要がなくなる。これにより、伝送路上にクロック信号が現れなくなり、前記輻射ノイズに含まれる高周波の周波数成分を更に低減することが可能になり、輻射ノイズの悪影響が抑制される。
【発明の効果】
【００２２】
本発明によれば、輻射ノイズの周波数スペクトラムにおける各周波数成分の周波数間隔が広がり、輻射ノイズの影響を受けない周波数帯が形成される。従って、輻射ノイズの影響を受けない周波数帯が無線通信で利用する周波数帯と一致するように、あるいは輻射ノイズに含まれる各周波数成分の周波数と無線通信で利用する周波数帯とが重ならないように、事前に調整しておくことにより、輻射ノイズの影響を大幅に軽減できる。
【発明を実施するための最良の形態】
【００２３】
本発明の携帯端末装置に関する１つの実施の形態について、図１〜図６を参照しながら以下に説明する。
【００２４】
図１は実施の形態における携帯端末装置の主要部の構成を示すブロック図である。図２は図１に示す携帯端末装置の一部分の詳細な構成を示す電気回路図である。図３は図１に示す携帯端末装置の一部分の詳細な構成を示す電気回路図である。図４〜図６は、それぞれ図１に示す携帯端末装置の内部で符号化されたシリアルデータの電気信号によって発生する高調波の周波数スペクトラムの具体例を示すグラフである。
【００２５】
この形態では、例えば携帯電話端末のように、無線通信機能と撮影のためのカメラとを備えた携帯端末１００に本発明を適用する場合を想定している。図１を参照すると、この携帯端末１００には、無線部１０１と、音声処理部１０２と、画像表示部１０３と、端末操作部１０４と、主制御部１０５と、電源生成部１０６と、電池１０７と、カメラ１０８と、符号部１０９と、パラレルシリアル変換部１１０と、復号部１１１と、シリアルパラレル変換部１１２とが備わっている。
【００２６】
無線部１０１は、図示しない変調器、復調器、信号増幅器、アンテナなどで構成されており、所定の無線基地局との間で電波を利用して無線通信を行い、音声通信やデータ通信に必要な通信回線を確保する。
【００２７】
音声処理部１０２は、図示しないレシーバ、スピーカ、マイク、音声増幅器などで構成されており、音声入力や、音声出力や、リンガなどによる通知を行う機能を有している。
【００２８】
画像表示部１０３は、液晶などを利用した平面状の表示部を備えており、画像などの情報を可視情報として画面上に表示することができる。
【００２９】
端末操作部１０４は、利用者からの入力操作を受け付けるためのキーパットなどで構成されており、利用者が外部と通信するための操作や、音声入出力のための操作や、画像データの取り込みのための操作や、画像表示を行うための操作などに関する利用者からの指示を受け付ける。
【００３０】
電源生成部１０６は、ＤＣ／ＤＣコンバータを内蔵しており、電池１０７から供給される電力に基づいて、携帯端末１００に備わっている各回路が必要とする電源電圧を生成する。
【００３１】
カメラ１０８は、例えば二次元ＣＣＤイメージセンサのように、必要に応じて任意の被写体の像を撮影し、二次元カラー画像のデジタルデータを出力する機能を有している。具体的には、カメラ１０８は主制御部１０５から出力される制御信号に従って動作し、ピクセルクロック信号ＳＧ１と、ＹＵＶデータ信号ＳＧ２と、水平同期信号ＨＳＹＮＣと、垂直同期信号ＶＳＹＮＣとを出力する。この例では、ＹＵＶデータ信号ＳＧ２は８ビットのパラレルデータとして出力される。カメラ１０８が出力するピクセルクロック信号及びＹＵＶデータ信号は符号部１０９に入力され、カメラ１０８が出力する水平同期信号及び垂直同期信号は主制御部１０５に入力される。
【００３２】
符号部１０９は、カメラ１０８から８ビットのパラレルデータとして順次に入力されるＹＵＶデータ信号ＳＧ２を、ピクセルクロック信号ＳＧ１に同期して符号化する。具体的には、冗長ビットを付加することにより、入力されるパラレルデータとはビット数の異なる符号化されたデータを生成する。この符号化は、複数ビットで構成される特定の符号が連続的に出現するのを防止するために行っている。
【００３３】
パラレルシリアル変換部１１０は、符号部１０９から出力される符号化されたＹＵＶのパラレルデータＳＧ３をシリアルデータＳＧ４に変換する。シリアルデータＳＧ４のビットレートを決定するクロック信号の周波数は可変になっており、主制御部１０５によって適切な周波数に自動的に制御される。
【００３４】
復号部１１１は、パラレルシリアル変換部１１０から出力される符号化されたＹＵＶのシリアルデータＳＧ４を受け取って、復号処理する。すなわち、符号部１０９で付加された冗長ビットを取り去って符号化前のデータを復元する。
【００３５】
シリアルパラレル変換部１１２は、復号部１１１から出力される復号処理後のシリアルデータＳＧ５を入力してシリアル／パラレル変換を実施し、８ビットパラレルデータとしてＹＵＶデータ信号ＳＧ６を出力する。
【００３６】
携帯端末１００の回路基板上などで画像データの信号を比較的長い距離（例えば数センチメートル程度）に渡って転送する場合には、パラレルシリアル変換部１１０と復号部１１１との間に現れるＹＵＶのシリアルデータＳＧ４を用いて信号の転送を行う。これにより、信号線の数が減るだけでなく、輻射ノイズの影響を低減できる。すなわち、ＹＵＶデータが符号化されているため、複数ビットで構成される同じ符号が連続的に現れにくくなり、後述するように輻射ノイズの影響を受けない周波数帯が形成される。輻射ノイズの影響を受けない周波数帯が無線通信で使用する周波数帯と一致するように調整することにより、輻射ノイズが無線通信に及ぼす影響を抑制できる。
【００３７】
主制御部１０５は、図示しない演算処理装置（ＣＰＵ）や、記憶装置などで構成されており、端末操作部１０４から入力された指示に従って、この主制御部１０５に接続されている各回路を制御する。特に、無線部１０１の動作とカメラ１０８の動作とを同時に実施するような場合には、主制御部１０５は無線部１０１が無線通信に利用する周波数帯に応じて、パラレルシリアル変換部１１０から出力されるシリアルデータＳＧ４のビットレート（伝送速度）を制御する。これにより、カメラ１０８から出力される信号の輻射ノイズの影響が無線通信に利用する周波数帯に現れるのを防止できる。
【００３８】
前述の符号部１０９及びパラレルシリアル変換部１１０に関する具体的な構成が図２に示されている。図２に示すように、この例では符号部１０９はマスタスレーブ形の１２個のＤ型フリップフロップ（Ｄ−ＦＦ）２０１〜２１２を用いて構成してある。また、パラレルシリアル変換部１１０は、マスタスレーブ形の１２個のＤ型フリップフロップ（Ｄ−ＦＦ）２１３〜２２４と、Ｄ−ＦＦ２１３〜２２３の各々の入力に設けられた１１個のスイッチ２３０と、クロック逓倍回路２２５と、スイッチ切り替え回路２２６とで構成されている。
【００３９】
まず、符号部１０９について説明する。カメラ１０８から出力されるＹＵＶデータ信号ＳＧ２は、８ビットのパラレルデータであり、ＹＵＶデータ信号ＳＧ２の各ビットの信号線が図２中ではＹＵＶ０、ＹＵＶ１、ＹＵＶ２、ＹＵＶ３、ＹＵＶ４、ＹＵＶ５、ＹＵＶ６、ＹＵＶ７で表されている。
【００４０】
ＹＵＶデータ信号ＳＧ２の各ビットの信号線ＹＵＶ０、ＹＵＶ１、ＹＵＶ２、ＹＵＶ３、ＹＵＶ４、ＹＵＶ５、ＹＵＶ６、ＹＵＶ７は、それぞれＤ−ＦＦ２０１、Ｄ−ＦＦ２０２、Ｄ−ＦＦ２０３、Ｄ−ＦＦ２０４、Ｄ−ＦＦ２０６、Ｄ−ＦＦ２０７、Ｄ−ＦＦ２０８、Ｄ−ＦＦ２０９のデータ入力端子と接続されている。また、信号線ＹＵＶ３はＤ−ＦＦ２０５の反転側のデータ入力端子（図中の丸印の付いた入力端子）とも接続されている。更に、信号線ＹＵＶ７は、Ｄ−ＦＦ２１０の反転側のデータ入力端子、Ｄ−ＦＦ２１１のデータ入力端子、Ｄ−ＦＦ２１２の反転側のデータ入力端子とも接続されている。
【００４１】
各Ｄ−ＦＦ２０１〜２１２は、それぞれのデータ入力端子又は反転側のデータ入力端子に入力されたデータを、ピクセルクロック信号ＳＧ１のレベルの立ち下がりに同期したタイミングで出力する。また、反転側のデータ入力端子に入力されたデータについては、０／１の論理を反転した状態で出力される。
【００４２】
従って、例えばＹＵＶデータ信号ＳＧ２に８ビットパラレルデータとして「１、１、１、１、１、１、１、１」のデータが現れた場合には、Ｄ−ＦＦ２０１〜２１２から出力される１２ビットのパラレルデータは「１、１、１、１、０、１、１、１、１、０、１、０」になる。つまり、冗長ビットが付加されて、８ビットパラレルデータが１２ビットの符号化されたパラレルデータに変換されている。Ｄ−ＦＦ２０１〜２１２から出力される１２ビットパラレルデータの中で、下から５番目のビットと、１０番目のビットと、１１番目のビットと、１２番目のビットとがそれぞれ付加された冗長ビットである。なお、付加する冗長ビットの数については、必要に応じて増減することができる。
【００４３】
このような冗長ビットを付加することにより、同じ符号が連続的に現れるのを防止できる。すなわち、前述のようにＹＵＶデータ信号ＳＧ２に８ビットパラレルデータとして同じ値「１」が連続する「１、１、１、１、１、１、１、１」のデータが現れた場合であっても、Ｄ−ＦＦ２０１〜２１２から出力される１２ビットのパラレルデータ（ＳＧ３）は「１、１、１、１、０、１、１、１、１、０、１、０」になるので、「１」又は「０」の同じ値のビットが隣接する位置に連続的に現れるのは最大で４ビットまでに抑制される。
【００４４】
符号部１０９のＤ−ＦＦ２０１から出力される信号（ＳＧ３の最下位ビット）はスイッチ２３０を介してＤ−ＦＦ２１３のデータ入力端子に印加され、同様に、Ｄ−ＦＦ２０２から出力される信号はスイッチ２３０を介してＤ−ＦＦ２１４のデータ入力端子に印加され、Ｄ−ＦＦ２０３から出力される信号はスイッチ２３０を介してＤ−ＦＦ２１５のデータ入力端子に印加され、Ｄ−ＦＦ２０４から出力される信号はスイッチ２３０を介してＤ−ＦＦ２１６のデータ入力端子に印加され、Ｄ−ＦＦ２０５から出力される信号はスイッチ２３０を介してＤ−ＦＦ２１７のデータ入力端子に印加され、Ｄ−ＦＦ２０６から出力される信号はスイッチ２３０を介してＤ−ＦＦ２１８のデータ入力端子に印加され、Ｄ−ＦＦ２０７から出力される信号はスイッチ２３０を介してＤ−ＦＦ２１９のデータ入力端子に印加され、Ｄ−ＦＦ２０８から出力される信号はスイッチ２３０を介してＤ−ＦＦ２２０のデータ入力端子に印加され、Ｄ−ＦＦ２０９から出力される信号はスイッチ２３０を介してＤ−ＦＦ２２１のデータ入力端子に印加され、Ｄ−ＦＦ２１０から出力される信号はスイッチ２３０を介してＤ−ＦＦ２２２のデータ入力端子に印加され、Ｄ−ＦＦ２１１から出力される信号はスイッチ２３０を介してＤ−ＦＦ２２３のデータ入力端子に印加され、Ｄ−ＦＦ２１２から出力される信号はそのままＤ−ＦＦ２２４のデータ入力端子に印加される。
【００４５】
Ｄ−ＦＦ２１３〜２２３の各入力に設けられたスイッチ２３０は、スイッチ切り替え回路２２６から出力される制御信号に従って、それぞれ２つの入力端子のいずれか一方を選択して後方のＤ−ＦＦ（２１３〜２２３）のデータ入力端子と接続する。各スイッチ２３０に設けられた２つの入力端子の一方は、前段のＤ−ＦＦ（２１４〜２２４）の出力端子と接続され、符号部１０９のＤ−ＦＦ（２０１〜２１１）の出力（ＳＧ３）と接続されている。
【００４６】
クロック逓倍回路２２５は、ピクセルクロック信号ＳＧ１を入力し、この信号の周波数を逓倍することにより、シリアルデータクロック信号ＳＣＬＫを生成する。クロック逓倍回路２２５における逓倍の倍率は、主制御部１０５から出力される制御信号により定まる。シリアルデータクロック信号ＳＣＬＫの周波数は、シリアルデータＳＧ４の伝送速度（ビットレート）を決定する。主制御部１０５は、シリアルデータＳＧ４の伝送速度を適切に制御するために必要な制御信号の値を、事前に計算により求め内部メモリ上に保存してあるので、内部メモリから読み出した値を適切な制御信号としてクロック逓倍回路２２５に与える。
【００４７】
Ｄ−ＦＦ２１３〜２２４は、それぞれのデータ入力端子に印加される信号を、シリアルデータクロック信号ＳＣＬＫのレベルの立ち上がりのタイミングで取り込み、シリアルデータクロック信号ＳＣＬＫのレベルの立ち下がりのタイミングで出力する。
【００４８】
スイッチ切り替え回路２２６は、主制御部１０５から出力される制御信号に従って、各スイッチ２３０を切り替えるためのタイミング信号を生成する。各スイッチ２３０は、初期状態では符号部１０９から出力されるパラレルデータ（ＳＧ３）を選択している。その状態で、Ｄ−ＦＦ２１３〜２２４は、シリアルデータクロック信号ＳＣＬＫのレベルの立ち上がりのタイミングでパラレルデータ（ＳＧ３）を取り込み、シリアルデータクロック信号ＳＣＬＫのレベルの立ち下がりのタイミングで出力する。
【００４９】
次に、スイッチ切り替え回路２２６が出力する信号に従って各スイッチ２３０は選択状態を切り替える。これにより、各スイッチ２３０の前方のＤ−ＦＦ（２１４〜２２４）の出力端子と後方のＤ−ＦＦ（２１３〜２２３）のデータ入力端子とが接続される。その状態で、Ｄ−ＦＦ２１３〜２２３は、シリアルデータクロック信号ＳＣＬＫのレベルの立ち上がりのタイミングで前段のＤ−ＦＦ（２１４〜２２４）から出力されるデータを取り込み、シリアルデータクロック信号ＳＣＬＫのレベルの立ち下がりのタイミングで出力する。このような動作を繰り返すことにより、Ｄ−ＦＦ２１３の出力端子には、１２ビットのパラレルデータ（ＳＧ３）に対応するビット毎の時系列データ、すなわちシリアルデータＳＧ４が現れる。
【００５０】
パラレルシリアル変換部１１０は、符号部１０９から出力される１２ビットのパラレルデータの一部分だけをパラレルシリアル変換し、シリアルデータＳＧ４として出力することもできる。すなわち、符号部１０９によって付加された４つの冗長ビットの一部分だけを利用しても符号化されたシリアルデータを出力することができる。実際には、必要とする符号化率（符号化後ビット数／符号化前ビット数）に応じて、主制御部１０５がスイッチ切り替え回路２２６に所定の制御信号を与えることにより、スイッチ切り替え回路２２６が切り替えるスイッチ２３０を選別し、不要な冗長ビットに関するパラレルシリアル変換の処理を省略する。
【００５１】
前述のように、符号部１０９が符号化を行ってからパラレルシリアル変換を実施するので、シリアルデータＳＧ４は符号化されており、シリアルデータＳＧ４上で同じ値のビットが５ビット以上連続的に現れることはない。これにより、シリアルデータＳＧ４によって発生する輻射ノイズの周波数特性を制御することができる。詳細については後で説明する。
【００５２】
一方、前述の復号部１１１及びシリアルパラレル変換部１１２に関する具体的な構成が図３に示されている。図３に示すように、この例では復号部１１１はマスタスレーブ形の１２個のＤ型フリップフロップ（Ｄ−ＦＦ）３０１〜３１２と、クロック抽出回路３２１と、クロック同期回路３２２とを用いて構成してある。また、シリアルパラレル変換部１１２は、マスタスレーブ形の８個のＤ型フリップフロップ（Ｄ−ＦＦ）３１３〜３２０を用いて構成してある。
【００５３】
まず復号部１１１について説明する。復号部１１１は、前述の符号部１０９によって符号化されたデータを符号化前のデータに復元するための処理を実施する。従って、復号部１１１は符号部１０９における符号化率（符号化後ビット数／符号化前ビット数）に応じた処理を行う必要がある。例えば、４ビットの冗長ビットが付加されて１２ビットに符号化されたデータがシリアルデータＳＧ４として入力される場合には、４ビットの冗長ビットを取り去って、符号化前の８ビットデータを抽出することになる。
【００５４】
クロック抽出回路３２１は、入力されるシリアルデータＳＧ４のレベルの立ち上がり及び立ち下がりを検出することにより、シリアルデータＳＧ４の受信に必要なシリアルデータクロック信号ＳＧ８を生成する。１２個のＤ−ＦＦ３０１〜３１２は、それぞれクロック抽出回路３２１から出力されるシリアルデータクロック信号ＳＧ８のタイミングに同期して動作する。
【００５５】
すなわち、最初のＤ−ＦＦ３１２は、シリアルデータクロック信号ＳＧ８の立ち上がりのタイミングでシリアルデータＳＧ４を取り込み、取り込んだデータをシリアルデータクロック信号ＳＧ８の立ち下がりのタイミングで出力する。Ｄ−ＦＦ３１２の出力端子と接続されているＤ−ＦＦ３１１は、Ｄ−ＦＦ３１２が出力するデータを、シリアルデータクロック信号ＳＧ８の立ち上がりのタイミングで取り込み、立ち下がりのタイミングで出力する。
【００５６】
同様に、Ｄ−ＦＦ３１０は、Ｄ−ＦＦ３１１が出力するデータを、シリアルデータクロック信号ＳＧ８の立ち上がりのタイミングで取り込み、立ち下がりのタイミングで出力する。Ｄ−ＦＦ３０９は、Ｄ−ＦＦ３１０が出力するデータを、シリアルデータクロック信号ＳＧ８の立ち上がりのタイミングで取り込み、立ち下がりのタイミングで出力する。Ｄ−ＦＦ３０８は、Ｄ−ＦＦ３０９が出力するデータを、シリアルデータクロック信号ＳＧ８の立ち上がりのタイミングで取り込み、立ち下がりのタイミングで出力する。Ｄ−ＦＦ３０７は、Ｄ−ＦＦ３０８が出力するデータを、シリアルデータクロック信号ＳＧ８の立ち上がりのタイミングで取り込み、立ち下がりのタイミングで出力する。Ｄ−ＦＦ３０６は、Ｄ−ＦＦ３０７が出力するデータを、シリアルデータクロック信号ＳＧ８の立ち上がりのタイミングで取り込み、立ち下がりのタイミングで出力する。Ｄ−ＦＦ３０５は、Ｄ−ＦＦ３０６が出力するデータを、シリアルデータクロック信号ＳＧ８の立ち上がりのタイミングで取り込み、立ち下がりのタイミングで出力する。Ｄ−ＦＦ３０４は、Ｄ−ＦＦ３０５が出力するデータを、シリアルデータクロック信号ＳＧ８の立ち上がりのタイミングで取り込み、立ち下がりのタイミングで出力する。Ｄ−ＦＦ３０３は、Ｄ−ＦＦ３０４が出力するデータを、シリアルデータクロック信号ＳＧ８の立ち上がりのタイミングで取り込み、立ち下がりのタイミングで出力する。Ｄ−ＦＦ３０２は、Ｄ−ＦＦ３０３が出力するデータを、シリアルデータクロック信号ＳＧ８の立ち上がりのタイミングで取り込み、立ち下がりのタイミングで出力する。Ｄ−ＦＦ３０１は、Ｄ−ＦＦ３０２が出力するデータを、シリアルデータクロック信号ＳＧ８の立ち上がりのタイミングで取り込み、立ち下がりのタイミングで出力する。
【００５７】
クロック同期回路３２２は、クロック抽出回路３２１から出力されるシリアルデータクロック信号ＳＧ８を入力し、必要な分周比で周波数の分周を行い、ピクセルクロック信号ＳＧ７を生成する。クロック同期回路３２２の分周比は主制御部１０５が出力する制御信号によって決定される。このピクセルクロック信号ＳＧ７は、パラレルシリアル変換部１１０のクロック逓倍回路２２５が逓倍によって生成した前述のシリアルデータクロック信号ＳＣＬＫと周波数及びタイミングが同等の信号である。
【００５８】
また、クロック同期回路３２２は、主制御部１０５が出力する制御信号に従って、Ｄ−ＦＦ３０４の出力とＤ−ＦＦ３０５の出力の反転信号及びＤ−ＦＦ３０９の出力とＤ−ＦＦ３１０の出力の反転信号が一致するタイミングを検出し、このタイミングに同期してピクセルクロック信号ＳＧ７を出力する。
【００５９】
送信されたシリアルデータＳＧ４を受信して元のデータを復元するためには、シリアルデータの各ビットのタイミングを把握する必要があるが、図３に示した復号部１１１においては、クロック抽出回路３２１が受信したシリアルデータＳＧ４から各ビットのタイミングを表すシリアルデータクロック信号ＳＧ８を生成し、クロック同期回路３２２がパラレルデータの１バイト毎のタイミングを表すピクセルクロック信号ＳＧ７を生成するので、送信側から受信側に対してシリアルデータＳＧ４と共にタイミング信号を伝送する必要はない。
【００６０】
図１に示した主制御部１０５は、利用者の入力操作によって端末操作部１０４からカメラ起動の指示が入力されると、次のように制御する。すなわち、主制御部１０５は無線部１０１における受信周波数（通信に使用する周波数）を確認し、前記シリアルデータＳＧ４の高調波成分の周波数が無線部１０１の受信周波数と重ならないように、シリアルデータＳＧ４の伝送速度及び符号化率を決定し、その結果に従って符号部１０９、パラレルシリアル変換部１１０、復号部１１１及びシリアルパラレル変換部１１２を制御する。
【００６１】
受信周波数と適切な伝送速度及び符号化率との関係については、計算等により知ることができるので、事前に計算を行った結果を主制御部１０５の内部で記憶しておく。そして、受信周波数をパラメータとして記憶されているデータを読み出し、適切な伝送速度及び符号化率を決定する。
【００６２】
受信周波数と適切な伝送速度及び符号化率との関係に関する具体例について、以下に説明する。なお、図４〜図６に示す各例では、パラレルデータの１バイト毎のタイミングを表すピクセルクロックの周波数が２４ＭＨｚの場合を想定している。図４においては、符号化率が１０／８、シリアルデータの伝送速度が２４０ＭＨｚの場合のシリアルデータに含まれる各高調波成分の周波数領域での分布状況を表している。また、図５においては符号化率が１１／８、シリアルデータの伝送速度が２６４ＭＨｚの場合のシリアルデータに含まれる各高調波成分の周波数領域での分布状況を表し、図６においては符号化率が１２／８、シリアルデータの伝送速度が２８８ＭＨｚの場合のシリアルデータに含まれる各高調波成分の周波数領域での分布状況を表している。
【００６３】
なお、図４〜図６に示すような各高調波成分については、シリアルデータ上で、１ビット毎に値が変化する符号、隣接する２ビットが連続して同じ値である符号、隣接する３ビットが連続して同じ値である符号、隣接する４ビットが連続して同じ値である符号、隣接する５ビットが連続して同じ値である符号、によってそれぞれ発生する様々な基本周波数の高調波を、図４、図５および図６の（ａ）から（ｅ）に表している。なお、図４、図５および図６において、（ａ）は１ビット毎に値が変化する符号によって発生する基本周波数の高調波を、（ｂ）は隣接する２ビットが連続して同じ値である符号によって発生する基本周波数の高調波を、（ｃ）は隣接する３ビットが連続して同じ値である符号によって発生する基本周波数の高調波を、（ｄ）は隣接する４ビットが連続して同じ値である符号によって発生する基本周波数の高調波を、（ｅ）は隣接する５ビットが連続して同じ値である符号によって発生する基本周波数の高調波を、それぞれ示している。
【００６４】
例えば受信周波数が１６８０ＭＨｚの場合、図４のグラフでは、同じ周波数に高調波成分が現れているので、符号化率が１０／８、シリアルデータの伝送速度が２４０ＭＨｚの制御条件を適用すると、シリアルデータの高調波の輻射ノイズの影響が通信周波数に現れることになる。従って、このような場合は、受信周波数とシリアルデータの輻射ノイズの高調波の周波数とが重ならないように、他の制御条件を適用することになる。例えば、符号化率が１１／８、シリアルデータの伝送速度が２６４ＭＨｚの制御条件を適用する場合には、図５に示すように、各高調波成分が現れる周波数が受信周波数である１６８０ＭＨｚからずれているので、カメラ１０８を使用している場合であっても、輻射ノイズの影響を受けることなく通信を行うことができる。同様に、符号化率が１２／８、シリアルデータの伝送速度が２８８ＭＨｚの制御条件を適用する場合にも、図６に示すように、各高調波成分が現れる周波数が受信周波数である１６８０ＭＨｚからずれているので、カメラ１０８を使用している場合であっても、輻射ノイズの影響を受けることなく通信を行うことができる。
【００６５】
なお、符号化を行わずにシリアルデータを伝送する場合には、様々なビット長の符号が連続的にシリアルデータ上に現れる可能性が高いので、ランダムな信号に含まれる周波数成分と同様に、シリアルデータが様々な周波数の高調波成分を含むことになり、隣接する各高調波成分の周波数の間隔が狭くなる。従って、シリアルデータの伝送速度を変更しても、輻射ノイズの周波数と受信周波数とをずらすことはできない。
【００６６】
なお、この形態では主制御部１０５が受信周波数に合わせて符号化率及びシリアルデータの伝送速度を自動的に調整する場合を想定しているが、利用者からの入力操作に従って、符号化率及びシリアルデータの伝送速度を手動で変更できるように構成しても良い。
【００６７】
なお、パラレルシリアル変換部１１０と復号部１１１との間を伝送するシリアルデータＳＧ４については、差動回路と対の信号線とを用いて、平衡信号として伝送するのが望ましい。平衡信号として伝送することにより、低電力での伝送が可能になり、更にシリアルデータＳＧ４の定在波及び高調波によって生じる輻射ノイズが線路間で相殺されて低減されるため、無線通信の特性の劣化を防止するのにも役立つ。
【産業上の利用可能性】
【００６８】
以上のように、本発明を適用することにより、カメラから出力される信号によって発生する輻射ノイズの周波数と無線通信に使用する周波数とが重なるのを防止できる。従って、カメラ付き携帯電話端末や、カメラと無線通信機能とを備えた携帯型情報端末などに本発明を適用することにより、カメラを使用するときであっても無線通信性能の劣化を抑制できる。
【図面の簡単な説明】
【００６９】
【図１】実施の形態における携帯端末装置の主要部の構成を示すブロック図である。
【図２】図１に示す携帯端末装置の一部分の詳細な構成を示す電気回路図である。
【図３】図１に示す携帯端末装置の一部分の詳細な構成を示す電気回路図である。
【図４】図１に示す携帯端末装置の内部で符号化されたシリアルデータの電気信号によって発生する高調波の周波数スペクトラムの具体例を示すグラフである。
【図５】図１に示す携帯端末装置の内部で符号化されたシリアルデータの電気信号によって発生する高調波の周波数スペクトラムの具体例を示すグラフである。
【図６】図１に示す携帯端末装置の内部で符号化されたシリアルデータの電気信号によって発生する高調波の周波数スペクトラムの具体例を示すグラフである。
【符号の説明】
【００７０】
１００  携帯端末
１０１  無線部
１０２  音声処理部
１０３  画像表示部
１０４  端末操作部
１０５  主制御部
１０６  電源生成部
１０７  電池
１０８  カメラ
１０９  符号部
１１０  パラレルシリアル変換部
１１１  復号部
１１２  シリアルパラレル変換部
２０１〜２１２  Ｄ型フリップフロップ（Ｄ−ＦＦ）
２１３〜２２４  Ｄ型フリップフロップ（Ｄ−ＦＦ）
２２５  クロック逓倍回路
２２６  スイッチ切り替え回路
２３０  スイッチ
３０１〜３１２  Ｄ型フリップフロップ（Ｄ−ＦＦ）
３１３〜３２０  Ｄ型フリップフロップ（Ｄ−ＦＦ）
３２１  クロック抽出回路
３２２  クロック同期回路
【図１】
2008017030.tif 000003
【図２】
2008017030.tif 000004
【図３】
2008017030.tif 000005
【図４】
2008017030.tif 000006
【図５】
2008017030.tif 000007
【図６】
2008017030.tif 000008